【事件の表示】
　平成　９年特許願第５１５６７９号「情報記憶媒体および情報再生方法および情報再生装置」拒絶査定不服審判事件〔平成　９年　４月２４日国際公開、ＷＯ９７／１５０５０、平成１２年　３月２１日国内公表、特表２０００−５０３４４６〕について、次のとおり審決する。
【結　論】
　本件審判の請求は、成り立たない。
【理　由】
Ｉ．手続の経緯及び本願発明
　本件審判の請求に係る特許願（以下、「本願」という。）は、平成８年１０月１５日（特願平７−２７０８３３（１９９５年１０月１９日出願）に基づく国内優先権主張）を国際出願日とする出願あって、本願請求項１乃至１０に係る発明は、平成１６年２月１３日付け及び平成１６年６月１１日付けの各手続補正によって補正された明細書及び図面の記載からみて、特許請求の範囲の請求項１乃至１０に記載されたとおりのものと認められるところ、その請求項１の記載は以下のとおりである。
　「１．　それぞれの層に記録された情報をディスク片側から光学的に読み出せるように、一方が他方の上方に配置された少なくとも１層目と２層目の記録層と、
　前記１層目と２層目の記録層上に形成され、複数のセクタが付設されたトラックと、
　前記セクタにそれぞれ与えられるセクタの番地であって、前記１層目の記録層上の前記セクタの番地は―方の周側から他方の周側に向かって増加し、前記―方の周側は最内周または最外周の一方の周側であり、前記他方の周側は最内周または最外周の他方の周側であり、前記２層目の記録層上の前記セクタの番地は前記他方の周側から前記一方の周側に向かって増加するセクタの番地とを備え、
　ほぼ相互対応するトラックのセクタに割り付けられる、前記一方の層上のセクタの番地と他方の層上の前記セクタの番地とは補数関係にある、光ディスク。」（以下、「本願発明」という。）
　
　
II．先願及び先願明細書等の記載
　これに対して、原査定の拒絶理由で引用された、本願の優先権主張の日前の他の出願であって、その出願後に出願公開された特願平７−２１１１１号（特開平８−２１２５６１号公報参照）（以下、「先願」という。）の願書に最初に添付した明細書及び図面（以下、「先願明細書等」という。）には、以下の記載がある。
　１．「【請求項１】　ディスク状のデータ記録媒体であって、少なくとも第１および第２の記録層を有し、
データを記録する順序として、内周から外周に向かう第１の記録方向と、外周から内周に向かう第２の記録方向とが規定され、
上記第１の記録層の記録方向は、上記第１および第２の記録方向の一方とされ、
上記第２の記録層の記録方向は、上記第１および第２の記録方向の他方とされ、
各層のデータエリアはデータがセクタ構造を有するとともに、少なくとも各セクタには、上記第１および第２の記録層を識別するための層番号が書込まれていることを特徴とするデータ記録媒体。
　【請求項２】　請求項１に記載のデータ記録媒体において、
上記第１および上記第２の記録層のデータエリアに記録されるデータがセクタ構造を持つように規定され、
各セクタには、少なくとも上記層番号が書込まれることを特徴とするデータ記録媒体。
　【請求項３】　請求項１に記載のデータ記録媒体において、
上記第１および上記第２の記録層のデータエリアに記録されるデータがセクタ構造を持つように規定され、
各セクタには、少なくともディスク上の記録層の総数が書込まれることを特徴とするデータ記録媒体。」（【特許請求の範囲】）
　
　２．「【００１２】【実施例】以下、この発明の一実施例について説明する。この発明は、ディスクの厚み方向に複数の記録層が設けられる多層ディスクである。また、以下の記述では、ピックアップ側に最も近い記録層を最上層の記録層と称する。図１は、この発明による多層ディスクのエリアについて説明するため、ディスク１を上部から見た模式図である。２が内側ガードエリア（ＩＧＡと称する）、３がプログラムエリア、４が外側ガードエリア（ＯＧＡと称する）を示す。最上層の記録層Ｌ０の場合では、ＩＧＡがリードインエリア、ＯＧＡがリードアウトエリアとなり、次の層Ｌ１では、ＯＧＡがリードインエリア、ＩＧＡがリードアウトエリアとなる。
　【００１３】次に、各層の構造を図２により説明する。まず、この発明では、内周から外周に向かって渦巻き状の記録トラックを形成する場合と、これと逆に、外周から内周に向かって渦巻き状の記録トラックを形成する場合がある。さらに、複数の層について、内周から外周、外周から内周に向かって記録する層が交互に存在する。さらに、一例として、偶数番号の層Ｌ０、Ｌ２、・・・は、内周から外周に、奇数番号の層Ｌ１、Ｌ３、・・・は、外周から内周に記録する。ここで、偶数・奇数とは、層Ｌに説明のために付与した参照番号を示し、最上部に位置する層は、１番目でありながら、偶数番号であるＬ０になる。
　【００１４】すなわち、図２Ａは偶数番号の層のスパイラル状の記録トラックＴｅを示し、矢印に示すように、内周から外周に向かって記録する。これに対して、図２Ｂにおいて矢印で示すように、奇数番号の層の記録トラックＴｏは、スパイラル状に、外周から内周に向かって記録する。この場合、最も上の層は必ず、０番の層Ｌ０と呼び、内周から外周に向かう方向に記録する。
　【００１５】これらはスパイラルの方向に基づいて分けると、層により、順スパイラル記録トラックＴｅと逆スパイラル記録トラックＴｏとで記録トラック形成することを意味する。さらに、偶数番号の層Ｌ０、Ｌ２、・・・は、順スパイラル記録トラックＴｅに、奇数番号の層Ｌ１、Ｌ３、・・・は、逆スパイラル記録トラックＴｏに記録するように、順スパイラル記録トラックＴｅの層と逆スパイラル記録トラックＴｏの層を交互に重ねる。そして、最も上の層Ｌ０は、必ず、順スパイラル記録トラックＴｅ（通常のＣＤと同じ方向）とする。これは、デイスクのサイズを通常のＣＤと同じにした場合、誤って装着されたデイスクの種別を識別することを可能にするためである。」
　
　３．「【００１６】再び図１に戻って説明すると、ディスク上のプログラムエリアは、終端を大体合わせるようにする。すなわち、偶数番号の層の信号終了部と、奇数番号の層の信号開始部とがほぼディスクの同一半径上の位置になるようにする。例えば偶数番号の層の信号終了部と、奇数番号の層の信号開始部とが頗る近接した位置とされる。半径がほぼ一致すれば良いので、これらの終了部と開始部とが近接していなくても良い。より具体的には、ディスクに記録すべき全データ量を算出し、全データ量の半分で折り返し、すなわち次のより下の層に移行し、上層の内周と同じ半径地点で全データがが終了するようにする。このようにすることにより、繰り返し再生を容易にすると共に、さらに下の層へ移行する場合のアクセスの高速化を図る。従って図１に示すように、プログラムエリアは上から見ると、各層のものが一致する。」
　
　４．「【００２４】ディスク１に対して記録されるデータは、セクタ構造を有している。このセクタについて、図４および図５を参照して説明する。まず、図４は、最初の層Ｌ０のセクタ構造を模式的に開示したものである。なお、この図４に示す例では、理解を容易にするために、等角速度（ＣＡＶ）方式のディスクが示されているが、実際には等線速度（ＣＬＶ）方式のディスクが記録密度の関係で使用される。
　【００２５】各層のデータは、セクタ（００〜２５５）を単位として記録される。この際、１プログラムであることを考慮するれば、セクタアドレスを複数層に対して通し番号をつけることが容易である。例えば、図示しない２層目では、セクタアドレス（２５６〜５１１）を使用し、３層目では、セクタアドレス（５１２〜７６７）を使用する。さらに、層の選択を容易にするには、層番号を記述する必要がある。」
　
　５．「【００２７】また、サブコードとして記述する他に、図５Ｂに示すように、層番号とセクタアドレスを組み合わせたものを多層ディスクにおけるセクタアドレスとしても良い。すなわち、セクタアドレスの上位ビットとして層番号を付加する。このとき、最も上の層の層番号は必ず０とする。従って、最も上の層のセクタアドレスが（００００〜０２５５）となる。他の層については、層番号の順序と層の物理的な順序とを一致させる。層番号がスキップされたり、順番が入れ代わることがないようにする。層間での移行を容易にするためである。
　【００２８】また、サブコードＳＣに含まれるレイヤの情報として、層番号の他にディスク上の記録層の総数を持つことが考えられる。このような例を図６に示す。図６においては１バイトのレイヤフィールド内に３ビット（ｂ５〜ｂ３）の記録層数、および３ビット（ｂ２〜ｂ０）の層番号のフィールドを持つ。
　【００２９】層番号の定義を図８に示す。ここでは、層番号Ｌ０およびＬ１のみが定義されているが、このフィールドの使用法は、図５Ａおよび５Ｂに図示したものと同様である。」
　
　６．「【００３１】さらに、セクタアドレス等のセクタヘッダ情報の他の例について説明する。ヘッダ情報として、層番号の他にトラック番号、セクタアドレス、コピーライトコード、アプリケーションコード等が含まれる。トラック番号は、１６ビットのコードであり、値（０〜６５５３３）がディスクのプログラムエリア内のトラック番号の値と規定され、６５５３４がＯＧＡのトラック番号、６５５３５がＩＧＡのトラック番号と規定される。
　【００３２】セクタアドレスについて説明すると、これは、２４ビットの長さを有しており、以下の記述において、＄は、１６進数を表す。また、セクタアドレスは、２４ビットの２を補数とするコードである。順スパイラル方向の層Ｌ０、Ｌ２、・・・では、ディスクの内側から外側へセクタアドレスが増加し、逆スパイラル方向の層Ｌ１、Ｌ３、・・・では、ディスクの外側から内側へセクタアドレスが増加する。順スパイラルの層では、最内周を＄００００００から記録し始めたとしたら、逆スパイラルでの層では、最内周でセクタアドレスが例えば＄８０００００になるように記録する。ディスクの同一半径の位置では、層Ｌ０のセクタアドレスＳＡｄ０と、層Ｌ１のセクタアドレスＳＡｄ１とが次の関係を有する。
　【００３３】　　　ＳＡｄ１＝ＳＡｄ０  ＸＯＲ  ＄７ＦＦＦＦＦ
このように、同じ半径であれば、順スパイラル方向、逆スパイラル方向の何れの層のセクタアドレスも簡単な計算で変換できる。＄７ＦＦＦＦＦで排他的論理和（ＸＯＲ）をとればよいからである。」
　
　７．「【００３４】特にＣＬＶディスクの場合、半径によっては、１トラック当りのセクタ数が異なる。従って、サーボ回路は、特定セクタをアクセスする場合、トラックジャンプ数を判断するために、ピックアップの現在位置（半径情報）を用いると効果的である。さらに、セクタアドレスからテーブル参照などの方法によって半径情報を得ることができる。この場合、順スパイラル方向、逆スパイラル方向で配慮なしにセクタアドレスを付けると、順スパイラル方向と逆スパイラル方向とで別々のテーブルを用意する必要が生じる。さらに、最外周でのセクタアドレスが規格等によって定められない場合は、参照テーブルでは結局算出できないので、１トラック当りのセクタ数の計算あるいは測定が必要となる。
　【００３５】この例では、上述のように、順スパイラル方向、逆スパイラル方向のどちらの層のセクタアドレスも簡単な計算で変換できるようなセクタ番号を付しているので、何れの層のセクタアドレスも簡単に半径情報へ変換することができる。それによって、必要とするテーブルの量を節減でき、また、高速なアクセスが可能となる。
　【００３６】図９は、上述のようにアドレスを規定した場合におけるディスクのレイアウトを示す。層Ｌ０のＩＧＡ（内側ガードエリア）の最終セクタのセクタアドレスが（−１）とされる。ＩＧ３−全セクタのトラック番号が６５５３５とされる。ＩＧＡ内の全セクタのアプリケーションコードが０とされる。
　【００３７】ディスクの全プログラムエリア内のセクタ数が等しくされる。プログラムエリア内の使用しないトラックは、空きトラックとして符号化される。層Ｌ０のプログラムエリアの最も内側（最初）のセクタが０（すなわち、＄００００００）とされる。層Ｌ１のプログラムエリアの最も内側（最後）のセクタアドレスが＄７ＦＦＦＦＦとされる。この両者の間には、上述したような関係、すなわち、（＄７ＦＦＦＦＦ＝＄０００００  ＸＯＲ  ＄７ＦＦＦＦＦ）がある。」
　
　８．「【００３８】図９は、２層ディスクの例であり、層Ｌ０のプログラムエリアが３トラックを有し、層Ｌ１のプログラムエリアが２トラックを有している。例えばトラック０、１、２、３がユーザーデータを含み、トラック４が空きトラックである。層Ｌ１の最初のトラックのトラック番号は、層Ｌ０の最大のトラック番号に＋１した値とされる。
　【００３９】層Ｌ０のＯＧＡ（外側ガードエリア）の最初のセクタアドレスがプログラムエリアの最後のセクタアドレスに＋１したものと等しくされる。ＯＧＡの全セクタのトラック番号が６５５３４とされる。ＯＧＡ内の全セクタのアプリケーションコードが０とされる。なお、単層ディスクの場合では、層Ｌ０のレイアウトが適用可能である。」
　
　９．「【００６０】次にこの発明による多層ディスクを記録再生する装置について説明する。この発明の多層ディスクでは、データの種類は問題とならない。しかしながら、説明上、データ量の多い、例えばＭＰＥＧ(Moving Pictures  Expert Group)規格により、動画像がディジタル化されたものを記録再生する場合に用いられる、装置の一例として、可変レート対応データ（符号化）復号化装置を図１６に示す。
　【００６１】この図１６において、光ディスク１１に記録されているデータは、ピックアップ１２により再生されるようになされている。このピックアップ１２は、光ディスク１１にレーザ光を照射し、その反射光から当該光ディスク１１に記録されているデータを再生する。ピックアップ１２で再生された信号は、復調回路１３に送られる。この復調回路１３は、ピックアップ１１が出力した再生信号を復調し、セクタ検出回路１４に出力する。
　【００６２】セクタ検出回路１４は、供給されたデータから各セクタ毎に記録されているセクタデータを検出し、層分離回路２９に供給する。層分離回路２９は、セクタデータから、セクタアドレスと層番号とを分離する。セクタアドレスＳＡｄは、リングバッファ制御回路１６に供給され、セクタ検出回路１４が後段のＥＣＣ回路１５にセクタ同期をとった状態でデータを出力する。さらに、セクタ検出回路１４は、アドレスを検出することができなかったり、検出したアドレスが、例えば連続していなかったりした場合、リングバッファ制御回路１６を介してセクタナンバ異常信号をトラックジャンプ判定回路２８に出力する。また、層分離回路２９は、層番号の不連続を検出することができなかったり、検出した層番号が例えば同一でなかったりした場合、リングバッファ制御回路１６を介して層番号異常信号をトラックジャンプ判定回路２８に出力する。」
　
　１０．「【００８２】１層目の再生が終了すると、セクタアドレスＳＡｄが所定のアドレス、例えば（２５５）に達する。その所定アドレスを検出したリングバッファ制御回路１６は、フォーカスサーボ回路３０とトラッキングサーボ回路２７に対して、層切り換え信号ＳＬを供給する。フォーカスサーボ回路３０は、ピックアップ１２の焦点を１層目から２層目に切り換える。その間、トラッキングサーボ回路２７は、トラッキングサーボを一旦オフにし、焦点が２層目に切り換わった後、トラッキングサーボをオンにする。トラッキングサーボを一旦オフにするのは、焦点を１層目から２層目に移動させる間は、トラッキング誤差信号が得られないからである。
　【００８３】トラツキングが完了すると、セクタ検出回路１４からは、２層目のセクタデータが出力され、層分離回路１９によって、層番号Ｌｎ（ｎ＝１）とセクタアドレスＳＡｄ（＝２５６）とが得られる。尚、記録データが上述したようにＭＰＥＧ規格のビデオデータである場合、２層目の最初のピクチャは、所謂イントラ（Ｉピクチャ）とすることで、復号時間を最小とできる。」
　
　１１．「【００８７】上述した図１６の構成は、ディスク再生装置であるが、光ディスク１１として光磁気ディスク、相変化型ディスク等の記録可能なディスクを使用することによって、ディスク記録装置を構成できる。この場合、セクタ同期信号、セクタアドレス等は、プリフォーマットされており、記録時に、これらのプリフォーマット情報を使用して所定の位置にデータが記録される。
　【００８８】なお、以上の説明では、最上層の記録層を内側から外側への記録方向としているが、記録方向をこれと逆に設定しても良い。さらに、渦巻きトラックを形成する例であるが、同心円状にトラックを形成する場合に対しても同様に、この発明は、適用できる。
　【００８９】【発明の効果】上述したように、この発明のデータ記録媒体は、多層の記録層の記録方向を交互に設定するので、層間の移行が高速且つ容易となり、迅速なアクセスが可能なものである。また、かかるデータ記録媒体に対する記録／再生装置は、層間の記録／再生の移行がスムーズになされ、高速のアクセスが可能である。」
　
　以上の記載を、各図面を参照して整理すると、結局、先願明細書等には、以下のとおりの発明が記載されているものと認める。
　「ディスクの厚み方向に複数層の記録層が設けられ、
　各記録層は、それぞれ、内周側から外周側に向って記録する渦巻き状の記録トラック、又はこれと逆に、外周側から内周側に向って記録する渦巻き状の記録トラックを有し、
　内周側から外周側に向かって記録する層と、外周側から内周側に向かって記録する層が交互に配置されたデータ記録媒体であって、
　各記録層の信号終了部と、信号開始部とは、それぞれ、隣接する記録層の信号開始部と、信号終了部と、ほぼディスクの同一半径上の位置になるように、近接して配置され、
　各記録層のデータは、例えば、１層目では、セクタアドレス０００〜０２５５の、２層目では、セクタアドレス１２５６〜１５１１の、３層目では、セクタアドレス２５１２〜２７６７の番号が付されたセクタを単位として記録されるデータ記録媒体。」（以下、「先願発明」という。）
　
　
III．対比・判断
　［対比］
　１．先願発明のデータ記録媒体は、本願発明の「光ディスク」に相当することは明らかで、このものは先願明細書等の【図１６】で、一実施例として示されたディスク再生装置で再生されるもので、１層目の再生が終了すると、トラッキングサーボを一旦オフにし、フォーカスサーボ回路３０が、ピックアップ１２の焦点を１層目から２層目に切り換え、焦点が２層目に切り換わった後、トラッキングサーボがオンにされ、２層目が再生されるものであるから（上記先願明細書等のII．１０．の【００８２】，【００８３】参照）、先願発明のデータ記録媒体が、片側から光学的に読み出せるように、一方が他方の上方に配置された少なくとも１層目と２層目の記録層を備えていることは明らかで、この点で本願発明と差異はない。
　そして、先願発明のデータ記録媒体においても、各記録層上に形成されたトラックには、複数のセクタが付設されており、各セクタには、それぞれ、セクタアドレス（番地）が、例えば、１層目の記録層で、内周から外周に向かって増加するように付され、２層目の記録層では、外周から内周に向かって増加するように付されており、セクタアドレスが増加する方向が、各記録層に対して、内周から外周、外周から内周にと交互になっており、この点で本願発明と差異はない。
　
　２．次に、先願発明のデータ記録媒体における１層目と２層目で、対応する半径位置（トラック位置）でのセクタアドレスの関係について検討する。
　上記先願明細書等の記載II．３．の【００１６】には、「ディスク上のプログラムエリアは、終端を大体合わせるようにする。すなわち、偶数番号の層の信号終了部と、奇数番号の層の信号開始部とがほぼディスクの同一半径上の位置になるようにする。例えば偶数番号の層の信号終了部と、奇数番号の層の信号開始部とが頗る近接した位置とされる。半径がほぼ一致すれば良いので、これらの終了部と開始部とが近接していなくても良い。より具体的には、ディスクに記録すべき全データ量を算出し、全データ量の半分で折り返し、すなわち次のより下の層に移行し、上層の内周と同じ半径地点で全データがが終了するようにする」とされている。
　そこで、先願発明のデータ記録媒体についてみると、例示的ではあるが、セクタアドレスは、１層目で、内周側から００００〜０２５５とすると、２層目では、外周側から１２５６〜１５１１とされているもので（先願明細書等の【図５】Ｂ参照）、隣接する記録層の信号開始部と信号終了部、信号終了部と信号開始部とは、ほぼディスクの同一半径上の位置になるように近接して配置されているから、１層目（【図５】Ｂで、Ｌ０層）の最内周セクタアドレス００００は、２層目（同図で、Ｌ１層）の最内周セクタアドレス１５１１と、１層目の最外周セクタアドレス０２５５は、２層目の最外周セクタアドレス１２５６に対応することになる。
　そして、ディスクの同一半径上位置で対応する１層目及び２層目のセクタアドレスは、対応するセクタアドレスの和がいずれも「１５１１」となるものである。
　また、先願明細書等の【図９】についてみると、順スパイラル方向の層Ｌ０、Ｌ２、・・・では、ディスクの内側から外側へセクタアドレスが増加し、逆スパイラル方向の層Ｌ１、Ｌ３、・・・では、ディスクの外側から内側へセクタアドレスが増加するように付されており、順スパイラルのＬ０層で、最内周を＄００００００から記録し始めたとしたら、逆スパイラルのＬ１層では、最内周でセクタアドレスが＄７ＦＦＦＦＦで終了するよう記録するとされている。Ｌ０層、Ｌ１層のプログラムエリア最内周のセクタアドレスは、それぞれ、０，＄７ＦＦＦＦＦとされ、両層の同エリア最外周のアドレスは、それぞれ、＄１３２６Ｃ７，＄６ＣＤ９３８とされている。これは、ディスクの同一半径の位置では、層Ｌ０のセクタアドレスＳＡｄ０と、層Ｌ１のセクタアドレスＳＡｄ１とは、
　　　ＳＡｄ０＋ＳＡｄ１＝＄７ＦＦＦＦＦ
なる関係にある。
　また、上記先願明細書等の記載６．の【００３３】で示された
　　　ＳＡｄ１＝ＳＡｄ０  ＸＯＲ  ＄７ＦＦＦＦＦ
なる論理演算式は、
　　　ＳＡｄ１＝＄７ＦＦＦＦＦ−ＳＡｄ０
なる算術演算式と等価である。
　
　３．一方、「補数」については以下の解説がある。
　 ア．「コンピュータとその仕組み」（http://roots55.tripod.com/1syou.htm）
『・補数の概念　補数とは、ある数を、基準となる数から引いた数をいう。　（基準となる数）−（ある数）＝ある数の補数』の関係にあるもので、基準となる一つの数に対して、他の二つの数（「ある数」と「ある数の補数」）の間の関係についていうものである。
 
　イ．「*補数（兄弟色）」（http://www.stkm.net/hikari/hp1/hosu.htm）
『注２.　 数学では補数を次のように定義していて、補数関係にあることは変わりありませんが、数学上の補数とは別と考えて下さい。 
1.自然数 a，b について、a＋b＝X のとき、一方を他方の X に対する補数という。
2. n 桁の二進数 a について、2ｎ−1−a を、1 に対する a の補数という。』
　
　 ウ．用語解説（http://fie.tsuyama-ct.ac.jp/text/term/）の補数(complement), p.121
『ある数値を, 定められた数（基数）から引いて得られる数値のこと．基数が2または10である2の補数と10の補数（真補数）や, 基数−1の補数（擬補数）である1の補数や9の補数がよく使われる．補数表現を用いると, 正と負の数を符号を含めて統一的に扱えるため, 演算回路を簡略化できる．』
 
　 エ．「岩波国語辞典第３版」岩波書店、１９８０．７．１発行，ｐ１０１６
『【補数】ある数Ａに加えるとあらかじめ定めた一定数になるような数Ｂ。』
　
　 オ．「マグローヒル科学技術用語大辞典第３版」日刊工業新聞社、１９９７．３．１８発行，ｐ１７３１
『補数　１．Ａの補数とは和Ａ＋Ｂが特別な結果を与えるようなＢのことである。』
　
　４．前記２．で記載した先願明細書等でのディスクの同一半径の位置での層Ｌ０のセクタアドレスＳＡｄ０と、層Ｌ１のセクタアドレスＳＡｄ１との
　　　ＳＡｄ０＋ＳＡｄ１＝＄７ＦＦＦＦＦ
なる関係、また、上記先願明細書等の記載５．の【００３３】中の
　　　ＳＡｄ１＝ＳＡｄ０  ＸＯＲ  ＄７ＦＦＦＦＦ
（ＳＡｄ１＝＄７ＦＦＦＦＦ−ＳＡｄ０なる算術演算式と等価であり、したがって、ＳＡｄ０＋ＳＡｄ１＝＄７ＦＦＦＦＦと等価である）
なる関係は、いずれも、上記３．での「補数」の概念が意味するところと合致するものである。結局、先願発明における記録媒体においても、１層目と２層目とで、ディスク上のほぼ同じ半径位置にある対応するトラックのそれぞれのセクタアドレス（番地）が、補数関係にあるということができ、この点で、本願発明との差異は認められない。
　
　［判断］
　以上のとおり、先願発明は、本願発明が備える要件のすべてを備えており、両発明は、同一の発明である。
　
　
IV．むすび
　以上のとおりであるから、本願請求項１に係る発明は、先願明細書等に記載された発明と同一であり、しかも、本願発明の発明者が上記先願明細書等に記載された発明の発明者と同一であるとも、また、本願の出願時に、その出願人が上記他の出願の出願人と同一であるとも認められないので、本願請求項１に係る発明については、特許法２９条の２第１項の規定により特許を受けることができない。
　
　よって、結論のとおり審決する。